(57)【要約】【課題】歯車とラックギヤとの間の係合が緩んで回転式アダプタ引掛装置の使用に悪影響を与える従来技術の問題点の改善可能な遠心回転式ランプ引掛装置を提供する。【解決手段】遠心回転式ランプ引掛装置は、蓋板１１、ベース１２、フック及び解除アセンブリ４０を備える。フックは、ベース１２上に固定される。解除アセンブリ４０は、ベース１２上に固定される。蓋板１１は、ベース１２上に固定されるとともに、ベース１２とともにハウジング１０を構成する。遠心回転式ランプ引掛装置は、つまみ２０、第１のばね及び係合部３０をさらに備える。ベース１２の中心には、ストッパピンが固定される。ベース１２の側面には、ストッパピンに向かってスライド溝が形成される。係合部３０は、スライド溝内に摺動可能に設置される。係合部３０は、ストッパピンの一端近くに固定された案内ピンを有する。【選択図】図１
0003215074.tif 000002
【実用新案登録請求の範囲】
【請求項１】
遠心回転式ランプ引掛装置であって、
蓋板、ベース、フック及び解除アセンブリを備え、
前記フックは、前記ベース上に固定され、
前記解除アセンブリは、前記ベース上に固定され、
前記蓋板は、前記ベース上に固定されるとともに、前記ベースとともにハウジングを構成し、
つまみ、第１のばね及び係合部をさらに備え、
前記ベースの中心には、ストッパピンが固定され、
前記ベースの側面には、前記ストッパピンに向かってスライド溝が形成され、
前記係合部は、前記スライド溝内に摺動可能に設置され、
前記係合部は、前記ストッパピンの一端近くに固定された案内ピンを有し、
前記第１のばねの一端は、前記係合部上に固定され、
前記第１のばねの他端は、前記係合部上に固定され、
前記つまみの底部は、案内ブロックに固定され、
前記案内ブロックは、半径が漸減した弧形ブロックであり、
前記つまみは、前記ストッパピン上に旋回可能に設置され、頂部が前記蓋板に挿設され、
前記案内ピンの側壁は、前記案内ブロックの内壁上に押当てられ、前記案内ブロックの内壁に沿って摺動することを特徴とする遠心回転式ランプ引掛装置。
【請求項２】
前記ベースの前記スライド溝下には、起動領域が設けられ、
前記係合部の底部には、案内溝が形成され、
前記案内溝は、前記起動領域上に摺動可能に嵌設され、前記スライド溝上で前記係合部が摺動することを特徴とする請求項１に記載の遠心回転式ランプ引掛装置。
【請求項３】
前記解除アセンブリは、解除ボタン、施錠部及び第２のばねを有し、
前記解除ボタンの一側には、下斜面が設けられ、
前記施錠部の一側には、上斜面が設けられ、
前記ベースの側面には、前記ストッパピンへ向かって解除溝が形成され、
前記ベース上には、スライド板が固定され、
前記スライド板は、前記解除溝の末端に位置し、
前記施錠部は、前記スライド板上に摺動可能に設置されるとともに、前記スライド板に沿って縦向きに摺動され、
前記第２のばねの一端は、前記解除溝下の前記蓋板上に縦向きに固定され、
前記第２のばねの他端は、前記施錠部の底部に固定され、
前記解除ボタンは、前記解除溝内に摺動可能に設置され、
前記解除ボタンの前記下斜面は、前記施錠部の前記上斜面上に摺動可能に当接され、前記解除ボタンにより前記施錠部が前記スライド板に沿って縦向きに摺動されることを特徴とする請求項１又は２に記載の遠心回転式ランプ引掛装置。
【考案の詳細な説明】
【技術分野】
【０００１】
本考案は、ランプ引掛装置に関するものであり、更に詳しくは、遠心回転式ランプ引掛装置に関するものである。
【背景技術】
【０００２】
ランプ引掛装置は、吊下げランプパネルに用いる中間部材であり、電気的に接続された金属フックが内部に固定されている。一般に、ランプ引掛装置の頂部には、金属フックが電源ベースに回し入れられ、係合部が出入りする底部をランプカバー上に固定する。従来の吊下げランプパネルのアダプタの引掛装置は、安全性及び安定性が好ましくない上、構造が複雑であった。社会の発展と科学技術の進歩に伴い、照明ランプも頻繁に新しいものに取って代わられ、吊下げランプパネルのアダプタの引掛装置も頻繁に交換されており、アダプタの引掛装置を交換する際、セルフロック機能を備えている場合、吊下げランプパネルの安定性及び安全性が向上して構造がシンプルでコンパクトとなる上、作業を高効率かつ高精度で行うことができるため、このような回転式アダプタ引掛器は社会の発展に寄与し、製品の市場ニーズを満たすことができる。
【０００３】
上述したような問題点を改善するために、既に回転式アダプタ引掛装置が開示されている（特許文献１）。この回転式アダプタ引掛装置は、上蓋、フック、解除ボタン、施錠部、小ばね、ナット、半ねじタッピンねじ、長タッピンねじ、短タッピンねじ、ベース、つまみ、施錠ボタン、及びベース上の少なくとも３つの係合部を含み、フックが短タッピンねじを介して上蓋内の底面の対応した箇所に螺着される。施錠部のＢ斜面と解除ボタンのＡ斜面とを接合させて上蓋のボタン溝内側に設置される。小ばねは施錠部上の孔中に設置される。フック、解除ボタン及び施錠部は、上蓋と組み合わされ、施錠ボタンとつまみとを係合し、施錠ボタンとつまみとを組み合わせてベースの中間孔に挿入し、一定角度で旋回させるとベース上に係合される。係合部、つまみ、施錠ボタンは、ベースと組み合わされ、上蓋はベースと組み合わされ、ナット、半ねじタッピンねじ及び長タッピンねじにより螺着される。引掛装置は、吊下げランプパネルに用い、セルフロック機能を備え、吊下げランプパネルの安全性及び安定性が向上し、構造がシンプルでコンパクトである上、作業を高効率かつ高精度で行うことができる。
【０００４】
しかし、このような回転式アダプタ引掛装置は、つまみと施錠部との間が係合伝動関係にあり、つまみにより施錠部がベースから出入りすることを制御することができるが、このような係合伝動方式は、実際の運用では手間がかかり、係合・伸縮を行うことが不便であるなどの欠点があった。また、つまみ上の歯車と、係合部上のラックギヤとを組み合わせて一定時間使用すると、歯車とラックギヤとの係合が緩んで、歯車とラックギヤとが外れ易くなり、つまみは歯車とラックギヤとの係合作用により係合部を駆動させることが困難となり、回転式アダプタ引掛装置の使用に悪影響を与えることがあった。
【先行技術文献】
【特許文献】
【０００５】
【特許文献１】中華人民共和国実用新案登録出願第２０１１２０３１４７４３．８号
【考案の概要】
【考案が解決しようとする課題】
【０００６】
従って、本考案の主な課題は、係合伸縮が不完全である上、つまみにより歯車とラックギヤとの間の係合が緩んで正常な使用に悪影響を与えてしまうおそれがある従来技術の問題点の改善可能なランプ引掛装置を提供することにある。
【課題を解決するための手段】
【０００７】
そこで、本考案者は、前記の本考案の課題を解決するため鋭意検討を重ねた結果、遠心回転式ランプ引掛装置を提供することにより、前記課題を解決できることに着目し、かかる知見に基いて本考案に想到するに至った。すなわち、本考案によれば、上記課題を解決するために、遠心回転式ランプ引掛装置であって、蓋板、ベース、フック及び解除アセンブリを備え、前記フックは、前記ベース上に固定され、前記解除アセンブリは、前記ベース上に固定され、前記蓋板は、前記ベース上に固定されるとともに、前記ベースとともにハウジングを構成し、つまみ、第１のばね及び係合部をさらに備え、前記ベースの中心には、ストッパピンが固定され、前記ベースの側面には、前記ストッパピンに向かってスライド溝が形成され、前記係合部は、前記スライド溝内に摺動可能に設置され、前記係合部は、前記ストッパピンの一端近くに固定された案内ピンを有し、前記第１のばねの一端は、前記係合部上に固定され、前記第１のばねの他端は、前記係合部上に固定され、前記つまみの底部は、案内ブロックに固定され、前記案内ブロックは、半径が漸減した弧形ブロックであり、前記つまみは、前記ストッパピン上に旋回可能に設置され、頂部が前記蓋板に挿設され、前記案内ピンの側壁は、前記案内ブロックの内壁上に押当てられ、前記案内ブロックの内壁に沿って摺動することを特徴とする遠心回転式ランプ引掛装置が提供される。
【０００８】
かくして、本考案の要旨は、次の（１）〜（３）に記載の通りのものである。
（１）遠心回転式ランプ引掛装置であって、
蓋板、ベース、フック及び解除アセンブリを備え、
前記フックは、前記ベース上に固定され、
前記解除アセンブリは、前記ベース上に固定され、
前記蓋板は、前記ベース上に固定されるとともに、前記ベースとともにハウジングを構成し、
つまみ、第１のばね及び係合部をさらに備え、
前記ベースの中心には、ストッパピンが固定され、
前記ベースの側面には、前記ストッパピンに向かってスライド溝が形成され、
前記係合部は、前記スライド溝内に摺動可能に設置され、
前記係合部は、前記ストッパピンの一端近くに固定された案内ピンを有し、
前記第１のばねの一端は、前記係合部上に固定され、
前記第１のばねの他端は、前記係合部上に固定され、
前記つまみの底部は、案内ブロックに固定され、
前記案内ブロックは、半径が漸減した弧形ブロックであり、
前記つまみは、前記ストッパピン上に旋回可能に設置され、頂部が前記蓋板に挿設され、
前記案内ピンの側壁は、前記案内ブロックの内壁上に押当てられ、前記案内ブロックの内壁に沿って摺動することを特徴とする遠心回転式ランプ引掛装置。
【０００９】
（２）前記ベースの前記スライド溝下には、起動領域が設けられ、
前記係合部の底部には、案内溝が形成され、
前記案内溝は、前記起動領域上に摺動可能に嵌設され、前記スライド溝上で前記係合部が摺動することを特徴とする前記（１）に記載の遠心回転式ランプ引掛装置。
【００１０】
（３）前記解除アセンブリは、解除ボタン、施錠部及び第２のばねを有し、
前記解除ボタンの一側には、下斜面が設けられ、
前記施錠部の一側には、上斜面が設けられ、
前記ベースの側面には、前記ストッパピンへ向かって解除溝が形成され、
前記ベース上には、スライド板が固定され、
前記スライド板は、前記解除溝の末端に位置し、
前記施錠部は、前記スライド板上に摺動可能に設置されるとともに、前記スライド板に沿って縦向きに摺動され、
前記第２のばねの一端は、前記解除溝下の前記蓋板上に縦向きに固定され、
前記第２のばねの他端は、前記施錠部の底部に固定され、
前記解除ボタンは、前記解除溝内に摺動可能に設置され、
前記解除ボタンの前記下斜面は、前記施錠部の前記上斜面上に摺動可能に当接され、前記解除ボタンにより前記施錠部が前記スライド板に沿って縦向きに摺動されることを特徴とする、前記（１）又は（２）に記載の遠心回転式ランプ引掛装置。
【考案の効果】
【００１１】
本考案の遠心回転式ランプ引掛装置は、引掛装置のつまみと係合部との間で緩み易くなってしまう従来技術の問題点を改善し、使用寿命を延ばすことができる上、遠心回転式ランプ引掛装置は、２個の両層が係合部を有するとともに、解除アセンブリと組み合わせにより遠心回転式ランプ引掛装置がセルフロック機能を備えて吊下げランプパネルの安定性及び安全性を高めるとともに、遠心回転式ランプ引掛装置の構造がシンプルでコンパクトである上、作業を高効率かつ高精度で行うことができる。つまみと係合部との間で摺動伝動し、案内ピン、案内ブロック及び第１のばねを互いに組み合わせ、複数の係合部を対応するスライド溝内で同時に摺動させ、係合部の係合がスムーズでなく、駆動が不十分であった従来技術の問題点を改善し、使用効率を高めることができる。
【図面の簡単な説明】
【００１２】
【図１】図１は、本考案の一実施形態に係る遠心回転式ランプ引掛装置の平面を斜め上から観察した状態を示す斜視図である。
【図２】図２は、本考案の一実施形態に係る遠心回転式ランプ引掛装置の底面を斜め下から観察した状態を示す斜視図である。
【図３】図３は、本考案の一実施形態に係る遠心回転式ランプ引掛装置の底面を斜め下から観察した状態を示す分解斜視図である。
【図４】図４は、本考案の一実施形態に係る遠心回転式ランプ引掛装置の上面を斜め上から観察した状態を示す分解斜視図である。
【図５】図５は、本考案の一実施形態に係る遠心回転式ランプ引掛装置の底面を斜め下から観察した状態を示す分解斜視図である。
【図６】図６は、本考案の一実施形態に係る遠心回転式ランプ引掛装置のつまみを示す斜視図である。
【図７】図７は、本考案の一実施形態に係る遠心回転式ランプ引掛装置のベースを示す斜視図である。
【図８】図８は、本考案の一実施形態に係る遠心回転式ランプ引掛装置の係合構造を示す斜視図である。
【考案を実施するための形態】
【００１３】
まず、図１〜図５を参照する。図１〜図５に示すように、本考案の一実施形態に係る遠心回転式ランプ引掛装置は、少なくとも蓋板１１、ベース１２、フック５０及び解除アセンブリ４０から構成されてなる。上述のフック５０は、上述のベース１２上に固定される。上述の解除アセンブリ４０は、上述のベース１２上に固定される。上述の蓋板１１は、上述のベース１２上に固定されるとともに、上述のベース１２とともにハウジング１０が構成される。本実施形態の遠心回転式ランプ引掛装置は、つまみ２０、第１のばね６０及び係合部３０をさらに備える。上述のベース１２の中心には、ストッパピン１２２が固定される。上述のベース１２の側面には、上述のストッパピン１２２に向かってスライド溝１２４が形成される。上述の係合部３０は、上述のスライド溝１２４内に摺動可能に設置される。上述の係合部３０は、上述のストッパピン１２２の一端近くに固定された案内ピン３１を有する。上述の第１のばね６０の一端は、上述の係合部３０上に固定される。上述の第１のばね６０の他端は、ストッパピン１２２の側壁上に固定される。上述のつまみ２０の底部は、案内ブロック２１に固定される。上述の案内ブロック２１は、半径が漸減した弧形ブロックである。上述のつまみ２０は、上述のストッパピン１２２上に旋回可能に設置され、頂部が上述の蓋板１１に挿設される。上述の案内ピン３１の側壁は、上述の案内ブロック２１の内壁上に押当てられ、上述の案内ブロック２１の内壁に沿って摺動される。遠心回転式ランプ引掛装置は、上斜面において案内ピン３１、案内ブロック２１及び第１のばね６０を互いに組み合わせ、つまみ２０が旋回されると、案内ピン３１が案内ブロック２１の内壁に沿って摺動して第１のばね６０が圧縮され、係合部３０がベース１２に引き込まれる。つまみ２０が緩められると、第１のばね６０の弾性回復力により案内ピン３１が案内ブロック２１の内壁に沿って摺動して第１のばね６０を圧縮し、係合部３０がベース１２から延ばされる。従来技術の引掛装置では、つまみ２０と施錠部４２との間の係合伝動関係により、つまみ２０により施錠部４２がベース１２に出入りすることを制御し、係合部３０の伸縮が不便であった問題点を改善するとともに、係合部３０の案内ピン３１がつまみ２０の案内ブロック２１上で直接摺動して押当てられるため、つまみ２０と係合部３０との間の強固な接続により、つまみ２０と係合部３０とが緩むことを防ぎ、従来技術の引掛装置のつまみ２０と係合部３０との間で緩み易くなる欠点を防ぎ、使用寿命を延ばすことができる。また、遠心回転式ランプ引掛装置は、２個の両層が係合部３０を有するとともに、解除アセンブリ４０と組み合わせ、遠心回転式ランプ引掛装置にセルフロック機能を備えさせ、吊下げランプパネルの安定性及び安全性を高めるとともに、遠心回転式ランプ引掛装置の構造がシンプルでコンパクトである上、作業を高効率かつ高精度で行うことができる。つまみ２０と係合部３０との間で摺動伝動し、案内ピン３１、案内ブロック２１及び第１のばね６０を互いに組み合わせ、複数の係合部３０を対応するスライド溝１２４内で同時に摺動させ、係合部３０の係合がスムーズでなく、駆動が不便であった欠点を改善し、遠心回転式ランプ引掛装置の使用効率を高めることができる。
【００１４】
本実施形態のベース１２上には、フック孔１２５及びフックピンが設置される。上述のフック５０上には、ねじ孔が形成される。上述のフック５０は、上述のフック孔１２５に挿通された後、ねじを介してフック５０を上述のベース１２のフックピン上に固定し、導線をフック５０上に固定する際、ねじを直接緩めてから導線をねじの表面に巻き付け、直接、導線をフック５０と一緒にフックピン上に固定し、導線とフック５０とを電気的に接続することができる。また、蓋板１１は、引出線孔１１１を有する。上述のベース１２上には、上述の引出線孔１１１を組み合わせて導線を引き出す引出線溝１２１が形成されている。
【００１５】
以下、本実施形態の解除アセンブリ４０とベース１２との固定方式について説明する。解除アセンブリ４０は、解除ボタン４１、施錠部４２及び第２のばね４３を含む。上述の解除ボタン４１の一側には、下斜面が設けられる。上述の施錠部４２の一側には、上斜面が設けられる。上述のベース１２の側面には、上述のストッパピン１２２へ向かって解除溝１２９が形成される。上述のベース１２上には、スライド板１２３が固定される。上述のスライド板１２３は、上述の解除溝１２９の末端に位置する。上述の施錠部４２は、上述のスライド板１２３上に摺動可能に設置されるとともに、上述のスライド板１２３に沿って縦向きに摺動させる。上述の第２のばね４３の一端は、上述の解除溝１２９下の蓋板１１上に縦向きに固定される。上述の第２のばね４３の他端は、上述の施錠部４２の底部に固定される。上述の解除ボタン４１は、解除溝１２９内に摺動可能に設置される。上述の解除ボタン４１の下斜面は、上述の施錠部４２の上斜面上に摺動可能に当接され、上述の解除ボタン４１により上述の施錠部４２を上述のスライド板１２３に沿って縦向きに摺動される。スライド板１２３の一側には、案内溝が形成されている。施錠部４２の一側には、突条体が設けられ、突条体と案内溝とを組み合わせ、上述の施錠部４２を上述のスライド板１２３上に摺動可能に設置するとともに、上述のスライド板１２３に沿って縦向きに摺動させることができる。また、その固定効果を高めるために、解除ボタン４１と施錠部４２とが外れることを防ぎ、解除ボタン４１及び施錠部４２に固定された両側にはさらにストッパーが設置される。ストッパーが解除溝１２９の両側のベース１２上に固定されるため、施錠部４２が解除ボタン４１の斜面作用によりスライド板１２３上の案内溝に沿って縦向きにしか摺動しないため、力が大きすぎて解除ボタン４１が施錠部４２からずれてしまうことを防ぐことができる。上斜面と下斜面との組み合わせにより、解除ボタン４１の押圧作用により施錠部４２が解除ボタン４１の下斜面内でしか摺動せず、解除ボタン４１を押下すると、施錠部４２は、上斜面と下斜面との組み合わせと、施錠部４２の突条体とスライド板１２３の案内溝との組み合わせとにより、摺動撥ね防止作用下で施錠部４２が縦向きで駆動されて第２のばね４３を圧縮し、施錠部４２上のロックヘッドがハウジング１０内に引き込まれ、遠心回転式ランプ引掛装置を電源ベースから外すことができる。解除ボタン４１を緩めると、施錠部４２が上斜面と下斜面との組み合わせと施錠部４２の突条体とスライド板１２３の案内溝との組み合わせとにより、摺動撥ね防止作用下で施錠部４２の第２のばね４３の弾性回復力により、スライド板１２３に沿って縦向きで駆動し、施錠部４２上のロックヘッドがハウジング１０内まで延ばし入れられ、遠心回転式ランプ引掛装置を電源ベースに回し入れることができる。
【００１６】
図６を参照する。図６に示すように、つまみ２０の底部には、２つの案内ブロック２１及び２つの位置規制ブロック２２が設けられ、その中心には旋回ピン２３が設けられる。上述の案内ブロック２１を円心として旋回ピン２３上に位置し、半径が漸減の三日月状ブロックである上、つまみ２０の底部縁部に固定される。上述の位置規制ブロック２２の前後には、円弧状の退避溝が形成されるとともに、上述の位置規制ブロック２２が上述の案内ブロック２１の半径最大端に位置し、つまみ２０が回転し過ぎて係合部３０上の案内ピン３１が案内ブロック２１の内壁に貼り合わされ、案内ブロック２１の半径最小端から滑り出て、上述の係合部３０上の案内ピン３１が第１のばね６０の弾性回復力により案内ブロック２１の内壁に貼り合わされ、案内ブロック２１の半径最大端から滑り出ることを防ぐことができる。勿論、本実施形態は、単なる最良な実施形態であり、実際の必要に応じてつまみ２０の底部には、複数の案内ブロック２１及び複数の位置規制ブロック２２を設けてもよく、２つだけに限定されるわけではなく、案内ブロック２１の固定位置も必要に応じて変えてもよく、つまみ２０の底部の何れの箇所に固定してもよい。つまみ２０が旋回し易いように、つまみ２０の頂部が外側へ突出され、ねじ部を有する操作部が形成され、つまみ２０が操作部の作用力に伴って旋回する。
【００１７】
図７を参照する。図７に示すように、上述のベース１２には、２つのフック孔１２５及びフックピンが設けられ、フック５０は、ベース１２の底部からフック孔１２５に挿通され、フックピン上に固定される。上述のベース１２の頂部中心には、ストッパピン１２２が設けられる。ストッパピン１２２は、複数のストッパ板により構成されるとともに、ストッパ板の頂部は、ベース１２の頂部中心に弧状溝が形成される。複数のストッパピン１２２の弧状溝は、ストッパピン１２２の旋回溝１２８と一緒に構成される。上述のつまみ２０の中心には、旋回ピン２３が設置される。上述の旋回ピン２３は、上述の旋回溝１２８内に旋回可能に設置される。上述のベース１２の側面は、上述のストッパピン１２２へ向けてスライド溝１２４が形成される。ベース１２の上述のスライド溝１２４下には、起動領域１２６が設けられる。上述の係合部３０の底部には、案内溝３３が形成される。上述の案内溝３３は、上述の起動領域１２６上に摺動可能に嵌設される。上述の係合部３０は、上述のスライド溝１２４上で摺動可能である。上述のスライド溝１２４の数は、２つだけに限定されるわけではなく、必要に応じて変えることができるが、スライド溝１２４の数とストッパピン１２２の数とは同じである上、複数のスライド溝１２４がベース１２の頂部中心を円心として、ベース１２の頂部に均一に分布される。
【００１８】
図８を参照する。図８に示すように、上述の係合部３０には、上述のストッパピン１２２から遠い一端にバンプが設けられる。バンプは二層の弧状係合端であり、遠心回転式ランプ引掛装置を他の部品に容易に固定させることができる。上述の係合部３０は、ストッパピン１２２の一端近くに形成された凹溝を有する。凹溝は、第１のばね６０を固定するために用い、第１のばね６０が摺動することを防ぐ。凹溝の底部には、案内ピンが固定される。案内ピンは、頂部が半球状であり、その側面は円弧面であるため、案内ピンとつまみ２０上の起動領域１２６との間の摩擦を減らし、つまみ２０により係合部３０をベース１２のスライド溝１２４上で摺動させることができる。上述の係合部３０の底部には、案内溝３３が形成される。上述の案内溝３３は、上述の起動領域１２６上に摺動可能に嵌設され、上述の係合部３０は上述のスライド溝１２４上で摺動可能である。
【００１９】
本実施形態の遠心回転式ランプ引掛装置の稼働過程において、つまみ２０が旋回されると、案内ピン３１が案内ブロック２１の内壁に沿って摺動し、第１のばね６０を圧縮し、係合部３０がベース１２に引き込まれ、遠心回転式ランプ引掛装置とランプカバーとが分離される。つまみ２０を緩めると、第１のばね６０の弾性回復力により、案内ピン３１が案内ブロック２１の内壁に沿って摺動し、第１のばね６０を圧縮し、係合部３０をベース１２に延ばし、遠心回転式ランプ引掛装置がランプカバー上に固定され、遠心回転式ランプ引掛装置をランプカバーと速やかに組み立てたり分離したりすることができる。解除ボタン４１を押下げると、施錠部４２は、上斜面と下斜面との組み合わせと、施錠部４２の突条体とスライド板１２３の案内溝との組み合わせとにより、摺動撥ね防止作用下で施錠部４２が縦向きで駆動されて第２のばね４３を圧縮し、施錠部４２上のロックヘッドが施錠孔１２７を介してハウジング１０内に引き込まれ、遠心回転式ランプ引掛装置を電源ベースから外すことができる。解除ボタン４１を緩めると、施錠部４２が上斜面と下斜面との組み合わせと、施錠部４２の突条体とスライド板１２３の案内溝との組み合わせとにより、摺動撥ね防止作用下で施錠部４２の第２のばね４３の弾性回復力によりスライド板１２３に沿って縦向きで駆動し、施錠部４２上のロックヘッドが、施錠孔１２７を介してハウジング１０内まで延ばし入れられ、遠心回転式ランプ引掛装置を電源ベースに回し入れることができる。
【符号の説明】
【００２０】
１０  ハウジング
１１  蓋板
１２  ベース
２０  つまみ
２１  案内ブロック
２２  位置規制ブロック
２３  旋回ピン
３０  係合部
３１  案内ピン
３２  ばね溝
３３  案内溝
４０  解除アセンブリ
４１  解除ボタン
４２  施錠部
４３  第２のばね
５０  フック
６０  第１のばね
１１１  引出線孔
１２１  引出線溝
１２２  ストッパピン
１２３  スライド板
１２４  スライド溝
１２５  フック孔
１２６  起動領域
１２７  施錠孔
１２８  旋回溝
１２９  解除溝
【図１】
0003215074.tif 000003
【図２】
0003215074.tif 000004
【図３】
0003215074.tif 000005
【図４】
0003215074.tif 000006
【図５】
0003215074.tif 000007
【図６】
0003215074.tif 000008
【図７】
0003215074.tif 000009
【図８】
0003215074.tif 000010